(57)【要約】【課題】閉状態にする際にゴムの噛み込みの発生を充分に抑制し、優れた外観品質のタイヤを得ることができると共に、耐久年数が長いタイヤ加硫用金型を提供する。【解決手段】トレッドセグメントに中心から外縁部側に向かって縮径方向に傾斜した上下一対の傾斜面が設けられており、サイドプレートの外周部にトレッドセグメントの傾斜面と平行な傾斜面を有する駒が上下方向に伸縮するばね体を介して取り付けられており、トレッドリングの縮径時にはトレッドセグメントの傾斜面が駒と当接した後、ばね体の付勢力に抗してトレッドセグメントの傾斜面に沿って駒がトレッドセグメントの中心方向に移動し、トレッドリングの拡径時にはトレッドセグメントの傾斜面に沿って駒が当接した状態のままトレッドセグメントの外縁方向に移動し、その後、駒がトレッドセグメントの傾斜面から離間し縮径前の位置に戻るように構成されているタイヤ加硫用金型。【選択図】図１
2015193201.tif 000002
【特許請求の範囲】
【請求項１】
トレッドリングが周方向に分割された複数のトレッドセグメントと、上下一対のサイドプレートとを備えており、前記トレッドリングを縮径して、所定時間、加熱、加圧することによりローカバーの加硫成形を行うタイヤ加硫用金型であって、
前記トレッドセグメントに、前記トレッドセグメントの中心から外縁部側に向かって縮径方向に傾斜した上下一対の傾斜面が設けられており、
前記サイドプレートの外周部に、前記トレッドセグメントの前記傾斜面と平行な傾斜面を有する駒が、上下方向に伸縮するばね体を介して取り付けられており、
前記トレッドリングの縮径時には、縮径する前記トレッドセグメントの傾斜面が前記駒と当接した後、前記ばね体の付勢力に抗して前記トレッドセグメントの傾斜面に沿って、前記駒が前記トレッドセグメントの中心方向に移動し、
前記トレッドリングの拡径時には、拡径する前記トレッドセグメントの傾斜面に沿って、前記駒が当接した状態のまま、前記トレッドセグメントの外縁方向に移動し、その後、前記駒が前記トレッドセグメントの傾斜面から離間し、前記トレッドリングの縮径前の位置に戻る
ように構成されていることを特徴とするタイヤ加硫用金型。
【請求項２】
前記駒が、アルミニウム製の駒であることを特徴とする請求項１に記載のタイヤ加硫用金型。
【請求項３】
前記駒の上下に移動する幅が、５〜８ｍｍであることを特徴とする請求項１または請求項２に記載のタイヤ加硫用金型。
【発明の詳細な説明】
【技術分野】
【０００１】
本発明は、空気入りタイヤの製造において加硫成形に使用されるタイヤ加硫用金型に関する。
【背景技術】
【０００２】
空気入りタイヤの製造に際しては、一般に、タイヤのトレッド部に対応するパターンが設けられたトレッドリングが周方向に分割された複数のトレッドセグメント（以下、単に「セグメント」ともいう）と、サイドウォールに対応するパターンが設けられた上下一対のサイドプレートとを備えた、所謂、割りモールド式のタイヤ加硫用金型（以下、単に「金型」ともいう）を使用して加硫成形を行っている。
【０００３】
具体的には、トレッドリングを拡径して開状態にした金型の下部サイドプレート上に成形されたローカバーを配置した後、トレッドリングを縮径して金型を閉状態にし、所定時間、加熱、加圧することにより、ローカバーの加硫成形を行っている（例えば、特許文献１）。
【先行技術文献】
【特許文献】
【０００４】
【特許文献１】特開平７−１６４４４９号公報
【発明の概要】
【発明が解決しようとする課題】
【０００５】
しかしながら、このような金型を用いた場合、トレッドリングを縮径して金型を閉状態にする際に、縮径するセグメントとサイドプレートとの間にローカバーのゴムが噛み込まれることがあり、加硫後のタイヤにおいて、トレッドとサイドウォールとの境界の周上にゴムがスピューとしてはみ出してタイヤの外観品質の低下を招く恐れがある。
【０００６】
そして、このはみ出したゴムが金型に残ってしまうと、次回以降の加硫の際に開閉する金型から離れてローカバーに付着して加硫されることにより、やはり、タイヤの外観品質の低下を招く恐れがある。
【０００７】
さらに、このようなゴムの噛み込みの発生は、金型の耐久性を下げてしまい、金型の耐久年数が短くなる。
【０００８】
そこで、本発明は、閉状態にする際にゴムの噛み込みの発生を充分に抑制し、優れた外観品質のタイヤを得ることができると共に、耐久年数が長いタイヤ加硫用金型を提供することを課題とする。
【課題を解決するための手段】
【０００９】
請求項１に記載の発明は、
トレッドリングが周方向に分割された複数のトレッドセグメントと、上下一対のサイドプレートとを備えており、前記トレッドリングを縮径して、所定時間、加熱、加圧することによりローカバーの加硫成形を行うタイヤ加硫用金型であって、
前記トレッドセグメントに、前記トレッドセグメントの中心から外縁部側に向かって縮径方向に傾斜した上下一対の傾斜面が設けられており、
前記サイドプレートの外周部に、前記トレッドセグメントの前記傾斜面と平行な傾斜面を有する駒が、上下方向に伸縮するばね体を介して取り付けられており、
前記トレッドリングの縮径時には、縮径する前記トレッドセグメントの傾斜面が前記駒と当接した後、前記ばね体の付勢力に抗して前記トレッドセグメントの傾斜面に沿って、前記駒が前記トレッドセグメントの中心方向に移動し、
前記トレッドリングの拡径時には、拡径する前記トレッドセグメントの傾斜面に沿って、前記駒が当接した状態のまま、前記トレッドセグメントの外縁方向に移動し、その後、前記駒が前記トレッドセグメントの傾斜面から離間し、前記トレッドリングの縮径前の位置に戻る
ように構成されていることを特徴とするタイヤ加硫用金型である。
【００１０】
請求項２に記載の発明は、
前記駒が、アルミニウム製の駒であることを特徴とする請求項１に記載のタイヤ加硫用金型である。
【００１１】
請求項３に記載の発明は、
前記駒の上下に移動する幅が、５〜８ｍｍであることを特徴とする請求項１または請求項２に記載のタイヤ加硫用金型である。
【発明の効果】
【００１２】
本発明によれば、閉状態にする際にゴムの噛み込みの発生を充分に抑制し、優れた外観品質のタイヤを得ることができると共に、耐久年数が長いタイヤ加硫用金型を提供することができる。
【図面の簡単な説明】
【００１３】
【図１】本発明の実施の形態に係るタイヤ加硫用金型の開状態を説明する断面図である。
【図２】本発明の実施の形態に係るタイヤ加硫用金型の開状態から閉状態への途中段階を説明する断面図である。
【図３】本発明の実施の形態に係るタイヤ加硫用金型の閉状態を説明する断面図である。
【発明を実施するための形態】
【００１４】
以下、本発明を実施の形態に基づき、図面を用いて説明する。
【００１５】
１．タイヤ加硫用金型
図１〜図３は、本実施の形態に係る金型を示す断面図であり、それぞれ、金型の開状態（図１）、開状態から閉状態への途中段階（図２）、および金型の閉状態（図３）を説明する断面図である。なお、金型は左右対称に形成されているため、図１〜図３においては、左半分だけを記載している。
【００１６】
本実施の形態に係る金型は、従来の金型と同様に、トレッドリング１Ａが周方向に分割された複数のセグメント１と、上下一対のサイドプレート２とを備えており、各セグメント１は、トレッドリング１Ａが縮径することによりサイドプレート２と当接して閉状態となり、拡径することによりサイドプレート２から離間して開状態となる。
【００１７】
図１に示すように、各セグメント１は、半径方向内側の表面にトレッドパターンの成形面１ａが設けられていると共に、金型の閉状態時サイドプレート２に当接する分割面１ｂがトレッドパターンの成形面１ａの上下に設けられている。そして、トレッドパターンの成形面１ａと分割面１ｂとの間には、セグメント１の中心から外縁部側に向かって縮径方向に傾斜した上下一対の傾斜面１ｃが設けられている。
【００１８】
各サイドプレート２は、サイドプレート本体３の外周部に、セグメント１の傾斜面１ｃと平行な傾斜面４ａを有する駒４が、上下方向に伸縮するばね体５を介して取り付けられている。そして、サイドプレート本体３のサイドウォールパターンの成形面３ａから駒４のサイドウォールパターンの成形面４ｂにわたって、サイドウォールパターンが設けられている。
【００１９】
ばね体５は、サイドプレート本体３のフランジ３ｂの周方向に適宜間隔を置いて形成される凹部３ｃと、駒４に前記凹部３ｃと対応して形成される凹部４ｄとの間に装填されている。
【００２０】
本実施の形態に係る金型において、駒４は、トレッドリング１Ａの縮径、拡径に合わせて、セグメント１の傾斜面１ｃに沿って摺動し、サイドプレート本体３の外周部において上下方向に移動するように構成されている。
【００２１】
即ち、上記のように構成されたタイヤ加硫用金型を用いて、トレッドリング１Ａを縮径する場合、図２の矢印に示すように、セグメント１が縮径方向に移動してサイドプレート２に接近していき、その後、セグメント１の傾斜面１ｃが駒４の傾斜面４ａに当接する。その後、駒４は縮径方向にさらに移動するセグメント１から押圧力を受けてばね体５の付勢力に抗してセグメント１の傾斜面１ｃに沿って当接したまま摺動してセグメント１の中心方向に移動する。
【００２２】
このように、トレッドリング１Ａが縮径することにより、駒４が金型の内方にセットされたローカバーに向けて上下方向に移動し、セグメント１の傾斜面１ｃと駒４の傾斜面４ａとが当接しながら摺動する。そして、セグメント１がさらに縮径して駒４に接近していくと、セグメント１と駒４との間に形成される隙間の幅および高さが徐々に小さくなって、隙間の容量が徐々に減少していく。この結果、この隙間に噛み込まれようとするローカバーのゴムが金型の内方に押し戻され、従来金型を閉状態にしたときに発生していたゴムの噛み込みを十分に抑制することができる。
【００２３】
そして、さらにセグメント１が図３の矢印で示すように移動することによりトレッドリング１Ａがさらに縮径して、最後には、セグメント１と駒４との隙間に噛み込まれようとするローカバーのゴムが全て金型の内方に押し戻されて、トレッドリング１Ａと駒４とが密着され、金型が閉状態となる。
【００２４】
なお、上記において、駒４が上下に移動する具体的な幅としては、５〜８ｍｍであることが好ましく、ローカバーに対して５〜８ｍｍ程度離れた位置からローカバー側に向けて、セグメント１に当接して駒４が移動する。
【００２５】
ローカバーの加硫成形が完了した後は、トレッドリング１Ａを拡径して、金型を開状態とする。この場合には、上記と反対に、トレッドリング１Ａの拡径に伴って、セグメント１の傾斜面１ｃが駒４から遠ざかるように移動する。しかし、駒４はばね体５により付勢されているため、セグメント１の傾斜面１ｃに当接したまま、セグメント１の外縁方向に向けて摺動しながら移動する。
【００２６】
そして、トレッドリング１Ａがさらに拡径して、駒４とセグメント１とが離間すると、駒４は、ばね体５により付勢されて、トレッドリング１Ａが縮径する前の位置に戻り、次の加硫に備えて待機する。
【００２７】
なお、駒４は、サイドプレート２と同じ材質で作られていることが好ましいが、熱伝導性や加工の容易さなどの観点から、アルミニウム製が好ましく使用される。
【００２８】
２．本実施の形態の効果
本実施の形態のタイヤ加硫用金型によれば、トレッドリング１Ａを縮径する際に、駒４がセグメント１と当接したまま摺動して、セグメント１と駒４との間に形成される隙間の幅および高さが徐々に小さくなって隙間の容量が減少し、この隙間に噛み込まれようとするローカバーのゴムが金型の内方に押し戻される。
【００２９】
この結果、金型を閉状態にする際に発生するローカバーの噛み込みが抑制されて、スピューとしてはみ出すゴムを低減させることができ、製品タイヤの外観品質を向上させることができる。
【００３０】
そして、ゴムのはみ出しが低減されることにより、金型に残るゴムが低減されて、次回以降の加硫の際にはみ出したゴムがローカバーに付着することが低減され、さらに製品タイヤの外観品質を向上させることができる。
【００３１】
また、縮径の際のローカバーの噛み込みが軽減するため、タイヤ加硫用金型の耐久年数を長くすることができる。
【実施例】
【００３２】
１．金型の準備
まず、駒が設けられていない従来構造の金型を従来例の金型として準備した。
【００３３】
次に、上記と同じ金型を用いて、サイドプレートの外周部に本実施の形態の駒を設ける改造を行うと共に、セグメントを本実施の形態のセグメントに改造して、実施例の金型として準備した。
【００３４】
２．試験方法
まず、各金型に、タイヤサイズ１９５／６５Ｒ１５のローカバーを投入し、トレッドリングを縮径して金型を閉状態にすることにより締め付けまでを行った。次に、加硫せずに金型を開状態にしてローカバーを取り出した。次に、取り出したそれぞれのローカバーをホットプレスして、ホットプレス後のローカバーの表面を目視観察することにより、噛み込み状態の判定を行った。
【００３５】
３．試験結果
従来例の金型ではローカバーの噛み込みが発生していることが確認されたが、実施例の金型を用いた場合には、噛み込みは発生していなかった。これにより、本実施の形態のタイヤ加硫用金型の優位性が明らかになった。
【００３６】
以上、本発明を実施の形態に基づいて説明したが、本発明は上記の実施の形態に限定されるものではない。本発明と同一および均等の範囲内において、上記の実施の形態に対して種々の変更を加えることができる。
【符号の説明】
【００３７】
１                セグメント
１Ａ              トレッドリング
１ａ              トレッドパターンの成形面
１ｂ              分割面
１ｃ、４ａ        傾斜面
２                サイドプレート
３                サイドプレート本体
３ａ、４ｂ        サイドウォールパターンの成形面
３ｂ              フランジ
３ｃ、４ｄ        凹部
４                駒
５                ばね体
【図１】
2015193201.tif 000003
【図２】
2015193201.tif 000004
【図３】
2015193201.tif 000005